(57)【要約】      （修正有）【課題】自動的に釣竿を定位に締めつけられる釣竿ホルダーを提供する。  【解決手段】支持台２１は両側に左右対称に相対するアーム２２を接続し、二つの向かい合うアーム頂部は一つの開閉をコントロールできる挟持口２４を構成する。及び、二つの向かい合うアーム底部は互いに近づき、弾力部品２３を二つのアームに接続することで、挟持口を常に開いた状態にする。可動ホルダーバー３はトップ接続台１１から前に延びた形で設置し、二つのアームのアーム底部の上に位置する。先端に上向きに開口を設けたブラケット３１を設け、後端は接続支点となる。釣竿を可動ホルダーバー及びブラケットに跨って設置することにより、下向きに可動ホルダーバーと二つのアームを開くアーム底部を押すことにより、二つのアームのアーム頂部が互いに内側に移動して挟持口を閉めるため、釣竿の外周縁を締め、確実に釣竿を支えてが定位につくことができ、釣竿が緩んで落ちるのを避けることができる。【選択図】図１
0003180901.tif 000002
【実用新案登録請求の範囲】
【請求項１】
固定棒、挟持器、可動ホルダーバーを含み、
固定棒はトップ接続台を具有し、
挟持器は固定棒のトップ接続台に設置し、該挟持器の支持台は一つのアームを接続し、該アーム頂部は一つの開閉をコントロールできる挟持口を構成し、及び、該アーム底部は一つの弾力部品を接続することで、挟持口は常に開いた状態になり、
可動ホルダーバーはトップ接続台から前に延びた形でアーム底部の上に位置し、該可動ホルダーの先端に上向きに開口を設けたブラケットを設け、後端は接続支点となり、
釣竿を可動ホルダーバー及びブラケットに跨って設置し、下向きに可動ホルダーバーとアームのアーム底部を押すことにより、アームのアーム頂部が内側に移動して挟持口を閉めるため、釣竿の外周縁を締めることを特徴とする自動タイプの釣竿ホルダーの構造。
【請求項２】
前記固定棒のトップ接続台及び、挟持器の支持台の後端にそれぞれ互いに相対する第一接続部及び接続穴を設け、及び接続穴に対応して挿入できる第一接続部品を設け、
該固定棒のトップ接続台に下から上に伸びて螺合する一本の定位ボルトを具有し、挟持器の支持台の前段底部に抵触することを特徴とする請求項１記載の自動タイプの釣竿ホルダーの構造。
【請求項３】
前記挟持器の支持台の後端と可動ホルダーバーの後端にそれぞれ互いに相対する第三接続部及び接続穴を設け、及び接続穴に対応して挿入できる第三接続部品を設けて可動ホルダーバーの接続支点を構成することを特徴とする請求項１記載の自動タイプの釣竿ホルダーの構造。
【請求項４】
前記挟持器の支持台の両側に左右対称に相対するアームを接続し、二つの互いに向かい合うアーム頂部は開閉をコントロールできる挟持口を構成し、及び二つの互いに向かい合うアーム底部は互いに近づき、弾力部品を使って二つのアームを接続することで、挟持口が常に開いた状態となり、
該可動ホルダーバーはトップ接続台から前に延びた形で二つのアームのアーム底部の上に位置し、釣竿が下向きに可動ホルダーバーと二つのアームを開くアーム底部を押すことにより、二つのアームのアーム頂部が互いに内側に移動して挟持口を閉めることを特徴とする請求項１、請求項２或いは請求項３記載の自動タイプの釣竿ホルダーの構造。
【請求項５】
前記挟持器の支持台と二つのアームは、アーム底部に近い上側にそれぞれ相対する第二接続部及び接続穴、及び接続穴に対応して挿入する第二接続部品を設け、
該挟持器の支持台に一つの抵触部を設けることで、可動ホルダーバーが下向きに押す際の定位となることを特徴とする請求項４記載の自動タイプの釣竿ホルダーの構造。
【請求項６】
前記挟持器は二つのアームのアーム底部にそれぞれ互いに抵触するストップ辺を設けることを特徴とする請求項５記載の自動タイプの釣竿ホルダーの構造。
【請求項７】
前記挟持器の支持台は二つのアームのアーム底部の間に、互いに抵触するストップリブを設けることを特徴とする請求項５記載の自動タイプの釣竿ホルダーの構造。
【請求項８】
前記弾力部品はスプリングとし、該両端部は相対的に二つのアームに圧力をかけることを特徴とする請求項５記載の自動タイプの釣竿ホルダーの構造。
【考案の詳細な説明】
【技術分野】
【０００１】
本考案は自動タイプの釣竿ホルダーの構造に関し、特に自動的に釣竿を緩める及び締める自動タイプの釣竿ホルダーの構造に関する。
【背景技術】
【０００２】
釣りをする際に、魚が食いつくのを待つ時間が必ず必要である。食いつくまで長時間釣竿を握っていると、手が疲れやすく或いは捻挫しやすいため、通常釣り場、池、湖や海岸では、多くの人は釣竿ホルダーを使って、釣竿の角度を仰角、水平もしくは俯角の状態に保つ。
【０００３】
従来技術の釣竿ホルダーの組合せ構造は主に一本の曲折棒、一本のＹ字型棒及び一つの固定チューブである。曲折棒に一つの端部、一つの屈折部、及び一つの挿入棒を具有し、Ｙ字型棒はネジを使って回転できるよう、曲折棒の端部に結合する。固定チューブはネジを使って回転できるよう曲折棒の屈折部に結合する。使用する際に、曲折棒の挿入棒はクーラーボックスの片側にある固定台に挿入することができ、固定チューブにＹ字型保持棒を挿入することができる。よって釣竿はＹ字型棒及びＹ字型保持棒の上を跨って置くことができ、Ｙ字型棒及び固定チューブの回転角度を変えることで、釣竿の角度を調整することができる。
【０００４】
釣竿ホルダーの構造がシンプルであるために広く使われているが、実際使用する際、Ｙ字型棒及びＹ字型保持棒は上向きに開口を設けて釣竿を支えているのみであるため、両者の間にある距離は、必ず一メートル或いは二メートル以上に達することで、十分に釣竿が落ちないように保持することができる。しかし、このように長すぎる距離の構造デザインでは、釣竿ホルダーを折り畳んだサイズは尚も長くて体積が大きく、重量もあるために、携帯及び収納するのが煩わしく不便であることを鑑みて、更なる改善が必要であった。
【先行技術文献】
【特許文献】
【０００５】
【特許文献１】特開２００２−２３８４２９号公報
【考案の概要】
【考案が解決しようとする課題】
【０００６】
前記公知構造の欠点を解決するため、本考案は自動的に釣竿を定位に締め付け、釣竿が緩んで落ちるのを避けることができる自動タイプの釣竿ホルダーを提供することを主な課題とする。
【課題を解決するための手段】
【０００７】
上述の目的を解決するために、本考案は自動タイプの釣竿ホルダーの構造を提供するものである。本考案に含まれるのは固定棒、挟持器、可動ホルダーバーであり、固定棒はトップ接続台を具有し、挟持器は固定棒のトップ接続台に設置し、該挟持器の支持台は片側或いは両側に左右対称に相対するアームを接続する。二つの互いに向かい合うアーム頂部は開閉をコントロールできる挟持口を構成し、及び二つの互いに向かい合うアーム底部は互いに近づき、弾力部品を使って二つのアームを接続することで、挟持口が常に開いた状態となる。可動ホルダーバーはトップ接続台から前に延びた形で設置し、二つのアームのアーム底部の上に位置する。該可動ホルダーの先端に上向きに開口を設けたブラケットを設け、後端は接続支点とする。釣竿を可動ホルダーバー及びブラケットに跨って設置することにより、下向きに可動ホルダーバーと二つのアームを開くアーム底部を押すことにより、二つのアームのアーム頂部が内側に移動して挟持口を閉めるため、釣竿の外周縁を締める。    
【０００８】
最良実施例では、該固定棒のトップ接続台及び、挟持器の支持台の後端にそれぞれ互いに相対する第一接続部及び接続穴を設け、及び接続穴に対応して挿入できる第一接続部品を設ける。固定棒のトップ接続台に下から上に伸びて螺合する一本の定位ボルトを具有し、挟持器の支持台の前段底部に抵触する。
【０００９】
最良実施例では、該挟持器の支持台と二つのアームは、アーム底部に近い上側にそれぞれ相対する第二接続部及び接続穴、及び接続穴に対応して挿入する第二接続部品を設ける。該挟持器は二つのアームのアーム底部にそれぞれ互いに抵触するストップ辺或いはストップリブを設ける。
【００１０】
最良実施例では、該挟持器の支持台の後端と可動ホルダーバーの後端はそれぞれ互いに相対する第三接続部、接続穴及び接続穴に対応して挿入できる第三接続部品を設けて可動ホルダーバーの接続支点を構成する。
【考案の効果】
【００１１】
本考案により、釣竿ホルダーは自動的に釣竿を支えて定位に締めて、釣竿が緩んで落ちるのを避ける。更に釣竿ホルダーは大幅に長さを短く、重さを軽くすることができ、携帯収納しやすい。また、ユーザーが釣竿を取る動作に合わせて自動的に挟持口を開けられるなど、ユーザーが便利且つ迅速に釣竿の操作ができる。
【図面の簡単な説明】
【００１２】
【図１】本考案の最良実施例の自動タイプの釣竿ホルダーの立体図である。
【図２】図１の釣竿ホルダーを折り畳んだ構造図である。
【図３】図１の挟持器と固定棒の立体分解図である。
【図４】図１の挟持器と可動棒の立体分解図である。
【図５】図１の釣竿ホルダーの側視図である。
【図６】図５の釣竿ホルダーの局部拡大図である。
【図７】図５の釣竿ホルダーの角度調整の略図である。
【図８】図５の釣竿ホルダーをクーラーボックスに定位する略図である。
【図９】図８の挟持器の前視拡大図である。
【図１０】図８の釣竿を釣竿ホルダーに跨って置く略図である。
【図１１】図１０の釣竿ホルダーが釣竿を締める立体図である。
【図１２】図１０の挟持器が釣竿を締める前視拡大図である。
【図１３】本考案の第二実施例の自動タイプの釣竿ホルダー立体図である。
【図１４】図１３の挟持器の前視図である。
【考案を実施するための形態】
【００１３】
本考案による自動タイプの釣竿ホルダーの構造を明確に示すために図に沿って詳細な説明を行う。図１及び図１０に示すように、本考案の自動タイプの釣竿ホルダーは釣り場、池、湖及び海岸に適用する。釣竿ホルダーは主に固定棒１、挟持器２及び可動ホルダー棒３で構成し、共に釣竿４を定位に支えると同時に、固定棒１はクーラーボックス５の片側にある固定台５１の筒５２の中に挿入して定位することができる。
【００１４】
図１から図６に示す最良実施例では、本考案の自動タイプの釣竿ホルダーの固定棒１は一つのトップ接続台１１を具有する。該挟持器２を固定棒１のトップ接続台１１に設置し、該挟持器２の支持台２１は片側或いは両側に左右対称に相対するアーム２２、２２１を接続する。二つの互いに向かい合うアーム頂部２２４は開閉をコントロールできる挟持口２４を構成し、及び二つの互いに向かい合うアーム底部２２５は互いに近づき、弾力部品２３を使って二つのアーム２２、２２１を接続することで、挟持口２４が常に開いた状態となる。一方可動ホルダーバー３はトップ接続台１１から前に延びた形で設置し、二つのアーム２２、２２１のアーム底部２２５の上に位置する。可動ホルダーバー３の先端に上向きに開口を設けたブラケット３１を設け、後端は接続支点３２となる。ユーザーが釣竿ホルダーを携帯或いは収納する際、後側に可動ホルダーバー３及び挟持器２を移動することができ、スペースを節約することができる。
【００１５】
図８及び図９に示すように本考案の自動タイプの釣竿ホルダーを組立てると、釣竿４は挟持器２の挟持口２４を通って下向きに置かれ、図９から図１２に示すように、可動ホルダーバー３及びブラケット３１に跨って位置する。釣竿４の重さにより、下向きに可動ホルダーバー３及び二つのアーム２２、２２１を開くアーム底部２２５を押すことにより、二つのアーム２２、２２１のアーム頂部２２４が互いに内側に移動して挟持口２４を閉めるため、釣竿４の外周縁を締めて、確実に釣竿４を定位して保持し、緩んで落ちるのを避けることができる。よって、釣竿ホルダーは大幅に長さを短く、重さを軽くすることができて携帯収納しやすくなる。また、図９のように、ユーザーが釣竿４を取る際、釣竿４を上向きに可動ホルダーバー３から外す場合、直ちに弾力部品２３がアーム２２、２２１を動かすために挟持口２４が自動的に開き、便利に素早く釣竿４を取ることができる。
【００１６】
図１から図６に示すように、固定棒１のトップ接続台１１と挟持器２の支持台２１の後端にそれぞれ相対する第一接続部１１１、２１１及び接続穴１１２、２１２、及び接続穴１１２、２１１に対応して挿入する第一接続部品１１３及びそれを締めるナット１１４を設ける。このほか、固定棒１のトップ接続台１１にネジ穴１２を設け、下から上に螺合する一本の定位ボルト１３を具有し、挟持器２の支持台２１の前段底部に抵触する。図７に示すように、釣竿ホルダーの俯角仰角の傾斜角度を調整し、ユーザーが実際使用するのに必要な角度に合わせることができる。また、トップ接続台１１に筒１４を設けることができ、当該内穴１６(図５を参照)を固定棒１に套接してから、固定ボルト１５を使って、縦方向に固定棒１の外周に抵触して固定することで、三つの角度で縦方向の固定ポイントで定位することができる。
【００１７】
図１から図６に示すように、本考案の自動タイプの釣竿ホルダーの挟持器２の支持台２１と二つのアーム２２、２２１は、アーム底部２２５に近い上側にそれぞれ相対する第二接続部２１３、２２２及び接続穴２１４、２２３、及び接続穴２１４、２２３に対応して挿入する第二接続部品２１７及びそれを締めるナット２１８を設ける。また、挟持器２の支持台２１の後端と可動ホルダーバー３の後端にそれぞれ相対する第三接続部２１５、３３及び接続穴２１６、３４、及び接続穴２１６、３４に対応して挿入する第三接続部品３５及びそれを締めるナット３６を設けることで、可動ホルダーバー３の接続支点３２を構成する。
【００１８】
図３、図４、図９及び図１２に示すように、自動タイプの釣竿ホルダーは、挟持器２の支持台２１に一つの抵触部２７を設けることで、可動ホルダーバー３が下向きに押す際の定位となり、安定して釣竿４を支える。更に挟持器２は二つのアーム２２、２２１のアーム底部２２５にそれぞれ互いに抵触するストップ辺２２６を設けることで、強制定位となる。また、挟持器２の支持台２１にフロント片２５とフロントプレート２８を設けることで、共に釣竿４を支える。また、二つのアーム２２、２２１のアーム底部２２５の間に、互いに抵触するストップリブ２６を設けることで、強制的に定位につける。弾力部品２３はスプリングとすることができ、該両端部２３１、２３２は相対的に二つのアーム２２、２２１に圧力をかけることで、挟持口２４が常に開いている状態にする。その他、図１３及び図１４に示す第二実施例の釣竿ホルダーは同様に、固定棒１、挟持器２及び可動ホルダーバー３を設け、可動ホルダーバー３の中段をアーク状３７に設けることで、ユーザーが釣竿を取りやすくなる。
【００１９】
本考案は従来技術の不足を改善することができ、目的技術は、釣竿ホルダーが自動的に釣竿を支えて定位に締めて、釣竿が緩んで落ちるのを避ける。更に釣竿ホルダーは大幅に長さを短く、重さを軽くすることができ、携帯収納しやすい。また、ユーザーが釣竿を取る動作に合わせて自動的に挟持口を開けられるなど、ユーザーが便利且つ迅速に釣竿の操作ができる。
【００２０】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２１】
１  固定棒
１１  トップ接続台
１２  ネジ穴
１３  定位ボルト
１４  筒
１５  固定ボルト
１６  内穴
１１１  第一接続部
１１２  接続穴
１１３  第一接続部品
１１４  ナット
２  挟持器
２１  支持台
２２  アーム
２３  弾力部品
２４  挟持口
２５  フロント片
２６  ストップリブ
２７  抵触部
２８  フロントプレート
２１１  第一接続部
２１２  接続穴
２１３  第二接続部
２１４  接続穴
２１５  第三接続部
２１６  接続穴
２１７  第二接続部品
２１８  ナット
２２１  アーム
２２２  第二接続部
２２３  接続穴
２２４  アーム頂部
２２５  アーム底部
２２６  ストップ辺
２３１  端部
２３２  端部
３  可動ホルダーバー
３１  ブラケット
３２  接続支点
３３  第三接続部
３４  接続穴
３５  第三接続部品
３６  ナット
３７  アーク状
４  釣竿
５  クーラーボックス
５１  固定台
５２  筒
【図１】
0003180901.tif 000003
【図２】
0003180901.tif 000004
【図３】
0003180901.tif 000005
【図４】
0003180901.tif 000006
【図５】
0003180901.tif 000007
【図６】
0003180901.tif 000008
【図７】
0003180901.tif 000009
【図８】
0003180901.tif 000010
【図９】
0003180901.tif 000011
【図１０】
0003180901.tif 000012
【図１１】
0003180901.tif 000013
【図１２】
0003180901.tif 000014
【図１３】
0003180901.tif 000015
【図１４】
0003180901.tif 000016